(57)【要約】      （修正有）【課題】コストの増加を抑えつつ薬袋等の内容物の反りを防止することができる包装用段ボールシート及び包装体を提供する。【解決手段】包装用段ボールシート１１は、一枚の段ボールシートからなり、組立時に四角筒状部を構成する第一側板５、底板４、第二側板６及び天板７がこの順に一方向に連続して配設されている。組立時に天板７内面に重畳されるように天板７の一方向側に連続して配設される天板７と略同形状の折り返し板８をさらに備え、第一側板５と、天板７又は折り返し板８とを組立時に互いに係合する係合構造９を有する。係合構造９として、第一側板５の他方向側の端縁に連接される係止片１０、及び天板７と折り返し板８との折り返し部に形成されるスリット１３を有するとよい。天板７が、スリット１３を基端として他方向側に形成される切欠き１７を有し、この切欠き１７の深さが係止片１０の突出長さよりも大きいとよい。【選択図】図２
0003195616.tif 000002
【実用新案登録請求の範囲】
【請求項１】
一枚の段ボールシートからなり、組立時に四角筒状部を構成する第一側板、底板、第二側板及び天板がこの順に一方向に連続して配設されている包装用段ボールシートであって、
組立時に上記天板内面に重畳されるように上記天板の一方向側に連続して配設される上記天板と略同形状の折り返し板をさらに備え、
上記第一側板と、天板又は折り返し板とを組立時に互いに係合する係合構造を有する包装用段ボールシート。
【請求項２】
上記係合構造として、上記第一側板の他方向側の端縁に連接される係止片、及び上記天板と折り返し板との折り返し部に形成されるスリットを有する請求項１に記載の包装用段ボールシート。
【請求項３】
上記天板が、上記スリットを基端として他方向側に形成される切欠きを有し、この切欠きの深さが上記係止片の突出長さよりも大きい請求項２に記載の包装用段ボールシート。
【請求項４】
上記折り返し部が、上記スリットの両端から他方向側に伸びる一対の切込みと、この一対の切込みを基端として外側に伸びる各一対の折り曲げ容易線とを有する請求項２又は請求項３に記載の包装用段ボールシート。
【請求項５】
請求項１から請求項４のいずれか１項に記載の包装用段ボールシートを組み立ててなる包装スリーブ及びこの包装スリーブに収容される薬袋を有する包装体。
【考案の詳細な説明】
【技術分野】
【０００１】
本考案は、包装用段ボールシート及び包装体に関する。
【背景技術】
【０００２】
従来、患者名、薬剤の用法・容量、注意事項等が印刷され、内部に薬剤が収容される薬袋が知られている。このような薬袋は、薬袋紙を袋状に組み立て、かつ表面に印刷を施すことで形成される。また、このような薬袋は、多数枚が積層された積層体として供給及び保管される。このような積層体は、通常筒状に折り込まれる段ボールシート内に収容されて取り扱われる。
【０００３】
しかしながら、このような積層体を段ボールシートからなる筒状容器に収容する場合、容器の強度が不足したり、容器と積層体との間に隙間が生じたりすることに起因して筒状容器及びこの筒状容器に収容される薬袋に反りが生じるおそれが高い。
【０００４】
そのため、このような反りを防止すべく、今日では、例えば段ボールシートからなる筒状容器と積層体表面との間にチップボールを配設し、表面側の強度を高めると共に容器と積層体との間の隙間を埋めることが行われている。
【０００５】
しかしながら、チップボールは比較的高価であるため、かかるチップボールを用いるとコストが嵩む。また、チップボールを用いると部品点数が増加するため、包装作業の効率が悪化する。なお、薬袋とは異なるものの、例えば特開平５−２９４３６２号公報「感圧複写紙包装品と包装方法」には、複数の感圧複写紙の積層体の表面側及び裏面側に一対のチップボールを配設する構成が開示されており、またこれにより剛性を高めることが記載されている。
【先行技術文献】
【特許文献】
【０００６】
【特許文献１】特開平５−２９４３６２号公報
【考案の概要】
【考案が解決しようとする課題】
【０００７】
本考案は、このような不都合に鑑みてなされたものであり、コストの増加を抑えつつ薬袋等の内容物の反りを防止することができる包装用段ボールシート及び包装体の提供を目的とするものである。
【課題を解決するための手段】
【０００８】
上記課題を解決するためになされた本考案に係る包装用段ボールシートは、一枚の段ボールシートからなり、組立時に四角筒状部を構成する第一側板、底板、第二側板及び天板がこの順に一方向に連続して配設されている包装用段ボールシートであって、組立時に上記天板内面に重畳されるように上記天板の一方向側に連続して配設される上記天板と略同形状の折り返し板をさらに備え、上記第一側板と、天板又は折り返し板とを組立時に互いに係合する係合構造を有する。
【０００９】
当該包装用段ボールシートは、第一側板、底板、第二側板及び天板が組立時に四角筒状部として組み立てられ、内部に薬袋等を収容することができる。当該包装用段ボールシートは、天板と略同形状の折り返し板が組立時に天板内面に重畳されるので、組立状態での天板側の剛性を高めることができる。また、当該包装用段ボールシートは、折り返し板が天板と略同形状に形成されているので、天板と薬袋等との間の隙間を効果的に埋めることができる。さらに、当該包装用段ボールシートによれば、天板の内面に重畳された折り返し板は、スプリングバックによって内面側に押し返されるので、天板と薬袋等との間の隙間がさらに的確に埋められる。従って、当該包装用段ボールシートは、薬袋等の内容物の反りを防止することができる。また、当該包装用段ボールシートは、一枚の段ボールシートからなるので、コストの増加を抑えることができる。
【００１０】
上記係合構造として、上記第一側板の他方向側の端縁に連接される係止片、及び上記天板と折り返し板との折り返し部に形成されるスリットを有するとよい。このように、上記係合構造として、上記第一側板の他方向側の端縁に連接される係止片、及び上記天板と折り返し板との折り返し部に形成されるスリットを有することによって、上記係止片をスリットに挿入することで、上記第一側板と、天板又は折り返し板とを容易に連結することができる。また、かかる構成によれば、上記係止片をスリットから抜き出すことで、上記第一側板と、天板又は折り返し板との連結を容易に解くことができる。
【００１１】
上記天板が、上記スリットを基端として他方向側に形成される切欠きを有し、この切欠きの深さが上記係止片の突出長さよりも大きいとよい。このように、上記天板が上記スリットを基端として他方向側に形成される切欠きを有し、この切欠きの深さが上記係止片の突出長さよりも大きいことによって、上記第一側板と、天板又は折り返し板とを連結した状態において上記係止片の先端部と切欠きの底部との間に折り返し板側が露出される。つまり、係止片より先端側に空間が生じる。そのため、この空間に手指を挿入できるので係止片を抜き出すことが容易となる。その結果、上記第一側板と、天板又は折り返し板との係合をスムーズに解くことができ、ひいては係合解除時に加わる力に起因する反りの発生を防止することができる。
【００１２】
上記折り返し部が、上記スリットの両端から他方向側に伸びる一対の切込みと、この一対の切込みを基端として外側に伸びる各一対の折り曲げ容易線とを有するとよい。このように、上記折り返し部が上記スリットの両端から他方向側に伸びる一対の切込みと、この一対の切込みを基端として外側に伸びる各一対の折り曲げ容易線とを有することによって、一対の切込み間に係止片を容易に挿入することができる。さらに、かかる構成によると、上記スリット及び一対の切込みによって区画される部分が組立時に第一側板側に突出する案内片として形成される。そのため、上記係止片の挿入作業性が著しく向上される。
【００１３】
また、上記課題を解決するためになされた本考案に係る包装体は、上記構成を有する当該包装用段ボールシートを組み立ててなる包装スリーブ及びこの包装スリーブに収容される薬袋を有する。
【００１４】
当該包装体は、当該包装用段ボールシートを組立ててなる包装スリーブを有するので、上述のように薬袋の反りを防止することができると共に、コストの増加を抑えることができる。
【考案の効果】
【００１５】
以上説明したように、本考案の包装用段ボールシート及び包装体は、コストの増加を抑えつつ薬袋等の内容物の反りを防止することができる。
【図面の簡単な説明】
【００１６】
【図１】本考案の第一実施形態に係る包装体を示す模式的斜視図である。
【図２】図１の包装体に用いられる包装用段ボールシートを示す模式的平面図である。
【図３】図２の包装用段ボールシートのＡ−Ａ線断面図である。
【図４】図１の包装体の組立手順を示す模式的説明図である。
【図５】図２の包装用段ボールシートの天板の内面に折り返し板を重畳した状態を示す模式的側面図である。
【図６】図１の包装体の係合構造を示す模式的拡大図である。
【考案を実施するための形態】
【００１７】
以下、適宜図面を参照しつつ、本考案の実施の形態を詳説する。
【００１８】
［第一実施形態］
＜包装体＞
図１の包装体１は、包装スリーブ２と、包装スリーブ２に収容される複数の薬袋３とを有する。
【００１９】
包装スリーブ２は、包装用段ボールシートを組立てて形成される。包装スリーブ２は、複数の薬袋３を裏面側から支持する矩形状の底板４と、底板４の対向する一対の側端から立設され、複数の薬袋３の対向する側端部を外側から支持する矩形状の第一側板５及び第二側板６と、第二側板６の上端に連接され、複数の薬袋３の表面側に配設される天板７と、天板７の内面に重畳され、最表面に配設される薬袋３の表面側に当接する折り返し板８とを有する。また、天板７又は折り返し板８と、第一側板５とは係合構造９によって係合される。このように、包装スリーブ２は、第一側板５、底板４、第二側板６及び天板７によって形成される四角筒状部を有する筒型に形成されている。なお、本明細書において「表面」とは、包装スリーブ２の天板７側を意味し、包装スリーブ２に組み立てられる前においては包装スリーブ２に組み立てられた状態での天板７側を意味する。また、「裏面」とは、その逆を意味する。
【００２０】
薬袋３は、平面視矩形状の袋体として形成される。また、薬袋３の形成材料としては、例えば和紙、上質紙、グラシン紙等の紙類が挙げられる。薬袋３の厚みとしては、例えば８０μｍ以上２００μｍ以下程度とされている。また、薬袋３の平面サイズとしては、例えば長手方向長さが１５ｃｍ以上３５ｃｍ以下、短手方向長さが１０ｃｍ以上２５ｃｍ以下程度とされている。
【００２１】
＜包装用段ボールシート＞
図２の包装用段ボールシート１１は、一枚の段ボールシートからなり、図１の包装スリーブ２に組み立て可能に構成されている。包装用段ボールシート１１は、組立時に四角筒状部を構成する第一側板５、底板４、第二側板６及び天板７がこの順に一方向に連続して配設されている。また、包装用段ボールシート１１は、天板７の一方向側に連続して配設される折り返し板８をさらに有する。さらに、包装用段ボールシート１１は、第一側板５と、天板７又は折返し板８とを組立時に互いに係合する係合構造９を有する。
【００２２】
包装用段ボールシート１１に用いられる段ボールシートとしては、特に限定されないが、波形状に形成された中芯原紙をライナーに貼り合わせたものが好適に用いられ、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２３】
また、図３に示すように、かかる段ボールシートの中芯の稜線方向は、第一側板５、底板４、第二側板６、天板７及び折り返し板８の連続方向（以下、単に「連続方向」ともいう。）と平行とされている。当該包装用段ボールシート１１は、中芯の稜線方向が連続方向と平行であることによって、包装スリーブ２に組み立てられた状態における表裏方向側への撓み防止性を向上することができる。
【００２４】
底板４は、組立時に薬袋３の裏面側を支持する。底板４は、連続方向が長手方向とされる略矩形状に形成されている。底板４の長手方向長さとしては、組立時に内部に収容される薬袋３の長手方向長さ以上とされ、好ましくは薬袋３の長手方向長さと略同一とされる。また、底板４の短手方向長さとしては、組立時に内部に収容される薬袋３の短手方向長さと略同一又は薬袋３の短手方向長さ以上とされる。
【００２５】
第一側板５は、組立時に薬袋３の他方向側を支持する。第一側板５は、連続方向が短手方向とされる略矩形状に形成されている。第一側板５の長手方向長さとしては、典型的には底板４の短手方向長さと同一とされる。また、第一側板５の短手方向長さとしては、組立時に内部に収容される複数の薬袋３の表裏方向長さ以上とされ、好ましくは複数の薬袋３の表裏方向長さと略同一、さらに好ましくは複数の薬袋３の表裏方向長さに折返し板８の厚みを加えた程度とされる。具体的には、第一側板５の短手方向長さとしては、例えば１ｃｍ以上４ｃｍ以下とすることができ、典型的には１．５ｃｍ以上２．５ｃｍ以下程度とすることができる。
【００２６】
上記第一側板５の他方向側（上記一方向側の逆側）の端縁には係止片１０が連接されている。
【００２７】
係止片１０は、第一側板５の他方向側の端縁の略中央から突出している。係止片１０は、先端側の両端が面取りされた略矩形状に形成されている。係止片１０は、組立時に第一側板５と、天板７又は折り返し板８とを係合する係合構造９を構成する係止部９ａとして形成される。また、係止片１０と第一側板５との境界部分には折り曲げ容易線１２が形成されている。
【００２８】
係止片１０の突出長さの下限としては、１ｃｍが好ましく、１．５ｃｍがより好ましく、２ｃｍがさらに好ましい。一方、係止片１０の突出長さの上限としては、５ｃｍが好ましく４ｃｍがより好ましく、３ｃｍがさらに好ましい。係止片１０の突出長さが上記下限未満の場合、組立時に天板７又は折り返し板８と的確に係合できないおそれがある。逆に、係止片１０の突出長さが上記上限を超える場合、係止片１０の着脱作業性が低下するおそれがある。
【００２９】
なお、係止片１０の幅としては、天板７又は折り返し板８と的確に係合可能である限り特に限定されず、例えば第一側板５の長手方向長さの１／３以上２／３以下程度とすることができる。
【００３０】
第二側板６は、組立時に薬袋３の一方向側を支持する。第二側板６は、第一側板５と略同形状に形成されている。
【００３１】
天板７は、組立時に薬袋３の表面側に配設される。天板７は、連続方向が長手方向とされる略矩形状に形成されている。天板７の長手方向長さは、底板４の長手方向長さと略同一とされている。また、天板７の短手方向長さは、底板４の短手方向長さと略同一とされている。
【００３２】
折り返し板８は、組立時に天板７の内面に重畳される。折り返し板８は、天板７と略同一形状に形成されている。
【００３３】
天板７及び折り返し板８の境界部分には、天板７の内面への折り返し板８の折り返しを容易化するための折り返し部が形成されている。上記折り返し部には、連続方向と垂直な方向に伸びるスリット１３が形成されている。このスリット１３は、組立時に第一側板５と、天板７又は折り返し板８とを係合する係合構造９を構成する被係止部９ｂとして形成されている。また、上記折り返し部は、スリット１３の両端から他方向側に伸びる一対の切込み１４ａ、１４ｂと、一対の切込み１４ａ、１４ｂを基端として外側に伸びる各一対の折り曲げ容易線１５ａ、１５ｂ、１６ａ、１６ｂとを有する。
【００３４】
スリット１３は、天板７及び折り返し板８の境界部分の中央から連続方向と垂直な方向に伸びる。スリット１３の長さとしては、係止片１０の幅以上とされ、好ましくは係止片１０の幅と略同一とされる。
【００３５】
一対の切込み１４ａ、１４ｂは、各々同一の長さに形成されている。一対の切込み１４ａ、１４ｂの長さとしては、係止片１０の厚み以上とされ、好ましくは係止片１０の厚みと略同一とされる。具体的には、一対の切込み１４ａ、１４ｂの長さとしては、例えば３ｍｍ以上６ｍｍ以下程度とすることができる。
【００３６】
一方の切込み１４ａを基端として外側に伸びる一対の折り曲げ容易線１５ａ、１６ａ及び他方の切込み１４ｂを基端として外側に伸びる一対の折り曲げ容易線１５ｂ、１６ｂはいずれも平行に配設されている。また、一方の切込み１４ａを基端とする一方の折り曲げ容易線１５ａと、他方の切込み１４ｂを基端とする一方の折り曲げ容易線１５ｂとは同一直線上に形成されている。さらに、一方の切込み１４ａを基端とする他方の折り曲げ容易線１６ａと、他方の切込み１４ｂを基端とする他方の折り曲げ容易線１６ｂとは同一直線上に形成されている。
【００３７】
一方の折り曲げ容易線１５ａ、１５ｂは、一対の切込み１４ａ、１４ｂの一方向側の端部から外側に伸び、他方の折り曲げ容易線１６ａ、１６ｂは、一対の切込み１４ａ、１４ｂの他方向側の端部から外側に伸びている。一方の折り曲げ容易線１５ａ、１５ｂと他方の折り曲げ容易線１６ａ、１６ｂとの配設間隔としては、係止片１０の厚み以上とされ、好ましくは係止片１０の厚みと略同一とされる。具体的には、一方の折り曲げ容易線１５ａ、１５ｂと他方の折り曲げ容易線１６ａ、１６ｂとの配設間隔としては、例えば３ｍｍ以上６ｍｍ以下程度とされる。
【００３８】
また、天板７は、スリット１３を基端として他方向側に形成される切欠き１７を有する。切欠き１７は、連続方向を深さ方向とし、先端側の両端が面取りされた略矩形状に形成されている。切欠き１７は、スリット１３の中央を幅方向の中心として形成される。
【００３９】
切欠き１７の深さは、係止片１０の突出長さよりも大きい。切欠き１７の深さの下限としては、１．５ｃｍが好ましく、２．５ｃｍがより好ましく、３ｃｍがさらに好ましい。一方、切欠き１７の深さの上限としては、８ｃｍが好ましく、５ｃｍがより好ましく、４ｃｍがさらに好ましい。切欠き１７の深さが上記下限未満の場合、組立状態で係止片１０の先端と切欠き１７の底との距離が十分に得られず、スリット１３からの係止片１０の抜出作業性が十分に向上されないおそれがある。逆に、切欠き１７の深さが上記上限を超える場合、切欠きが必要以上に大きくなり、天板７の強度が低下するおそれがある。
【００４０】
切欠き１７の深さと係止片１０の突出長さの差の下限としては、０．５ｃｍが好ましく０．７ｃｍがより好ましい。一方、切欠き１７の深さと係止片１０の突出長さの差の上限としては、３ｃｍが好ましく、２ｃｍがより好ましい。切欠き１７の深さと係止片１０の突出長さの差が上記下限未満の場合、組立状態で係止片１０の先端と切欠き１７の底との間に手指を挿入し難くなるおそれがある。逆に、切欠き１７の深さと係止片１０の突出長さの差が上記上限を超える場合、組立状態で係止片１０の先端と切欠き１７の底との間の距離が必要以上に大きくなり、天板７の強度が低下するおそれがある。
【００４１】
切欠き１７の幅の下限としては、１ｃｍが好ましく、１．５ｃｍがより好ましい。一方、切欠き１７の幅の上限としては、４ｃｍが好ましく、３ｃｍがさらに好ましい。切欠き１７の幅が上記下限未満の場合、切欠き１７内に手指を挿入するのが困難になるおそれがある。逆に、切欠き１７の幅が上記上限を超える場合、切欠きが必要以上に大きくなり、天板７の強度が低下するおそれがある。
【００４２】
スリット１３の長さに対する切欠き１７の幅の比の下限としては、１／８が好ましく、１／６がより好ましく、１／５がさらに好ましい。一方、スリット１３の長さに対する切欠き１７の幅の比の上限としては、１／２が好ましく、２／５がより好ましく、１／３がさらに好ましい。スリット１３の長さに対する切欠き１７の幅の比が上記下限未満の場合、組立状態において係止片１０の天板７と接触する面積の割合が高くなりスリット１３からの係止片１０の抜出作業性が十分に向上されないおそれがある。逆に、スリット１３の長さに対する切欠き１７の幅の比が上記上限を超える場合、組立状態において係止片１０の天板７と接触する面積の割合が低くなり、係止片１０を的確に係止できないおそれがある。
【００４３】
＜包装体の組立手順＞
次に、図４を参照して、図２の包装用段ボールシート１１を用いた包装体１の組立手順について説明する。
【００４４】
まず、図４（ａ）に示すように、底板４の表面に複数の薬袋３を載置する。また、折り返し板８を上記折り返し部によって折り返し、天板７の内面に重畳する。このように折り返し板８を天板７の内面側に重畳することによって、図５に示すように、一方の折り曲げ容易線１５ａ、１５ｂ及び他方の折り曲げ容易線１６ａ、１６ｂが略直角に折り曲がり、上記折り返し部のうち、これら一対の折り曲げ容易線１５ａ、１５ｂ、１６ａ、１６ｂ間の部分が一方向側の側面１８として形成される。また、天板７、折り返し板８及び一対の切込み１４ａ、１４ｂによって囲まれた領域が開口１９として形成される。さらに、スリット１３及び一対の切込み１４ａ、１４ｂによって区画される部分が一対の案内片２０として一方向側に突出する。
【００４５】
続いて、図４（ｂ）に示すように、底板４及び第二側板６の境界と、第二側板６及び天板７の境界とを折り曲げ、折り返し板８が最表面に配設される薬袋３の表面側に当接するように天板７及び折り返し板８を複数の薬袋３の表面側に重ね合せる。なお、本実施形態においては、第一側板５及び第二側板６の短手方向長さが複数の薬袋３の表裏方向長さと略同一とされ、かつ折り返し板８が天板７と略同形状とされているので、折り返し板８の裏面が最表面に配設される薬袋３の表面の略全面に当接する。
【００４６】
次に、図４（ｃ）、（ｄ）に示すように、底板４及び第一側板５の境界と、折り曲げ容易線１２とを折り曲げて係止片１０を開口１９に挿入する。ここで、上述のように、スリット１３及び一対の切込み１４ａ、１４ｂによって区画される部分が一対の案内片２０として一方向側に突出しているので、係止片１０の表面を一対の案内片２０に沿わせつつ係止片１０を開口１９に挿入することができる。これにより、図６に示すように、係止片１０及びスリット１３が係合され、包装体１が組み立てられる。
【００４７】
なお、ここでは包装体１を組み立てる手順について説明したが、包装体１から複数の薬袋３を取り出す場合には係止片１０を開口１９から抜き出せばよい。またこの場合、係止片１０と切欠き１７の底部との間に手指を入れ、係止片１０を先端側から押し下げることで係止片１０とスリット１３との係合を容易に解くことができる。
【００４８】
＜利点＞
当該包装用段ボールシート１１は、第一側板５、底板４、第二側板６及び天板７が組立時に四角筒状部として組み立てられ、内部に薬袋３等を収容することができる。当該包装用段ボールシート１１は、天板７と略同形状の折り返し板８が組立時に天板７の内面に重畳されるので、組立状態での天板７側の剛性を高めることができる。また、当該包装用段ボールシート１１は、折り返し板８が天板７と略同形状に形成されているので、天板７と薬袋３との間の隙間を効果的に埋めることができる。さらに、当該包装用段ボールシート１１によれば、天板７の内面に重畳された折り返し板８は、スプリングバックによって内面側に押し返されるので、天板７と薬袋３等との間の隙間がさらに的確に埋められる。従って、当該包装用段ボールシート１１は、薬袋３等の内容物の反りを防止することができる。また、当該包装用段ボールシート１１は、一枚の段ボールシートからなるので、コストの増加を抑えることができる。
【００４９】
当該包装用段ボールシート１１は、係合構造９として、第一側板５の他方向側の端縁に連接される係止片１０、及び天板７と折り返し板８との折り返し部に形成されるスリット１３を有するので、係止片１０をスリット１３に挿入することで、第一側板５と、天板７又は折り返し板８とを容易に連結することできる。また、かかる構成によれば、係止片１０をスリット１３から抜き出すことで、第一側板５と、天板７又は折り返し板８との連結を容易に解くことができる。
【００５０】
当該包装用段ボールシート１１は、天板７がスリット１３を基端として他方向側に形成される切欠き１７を有し、この切欠き１７の深さが係止片１０の突出長さよりも大きいので、第一側板５と、天板７又は折り返し板８とを連結した状態において係止片１０の先端部と切欠き１７の底部との間に折り返し板８側が露出される。つまり、係止片１０より先端側に空間が生じる。そのため、この空間に手指を挿入できるので係止片１０を抜き出すことが容易となる。その結果、当該包装用段ボールシート１１は、第一側板５と、天板７又は折り返し板８との係合をスムーズに解くことができ、ひいては係合解除時に加わる力に起因する反りの発生を防止することができる。
【００５１】
当該包装用段ボールシート１１は、上記折り返し部がスリット１３の両端から他方向側に伸びる一対の切込み１４と、この一対の切込み１４を基端として外側に伸びる各一対の折り曲げ容易線１５、１６とを有するので、一対の切込み１４間に係止片１０を容易に挿入することができる。さらに、このような構成によると、スリット１３及び一対の切込み１４によって区画される部分が組立時に第一側板５側に突出する案内片２０として形成される。そのため、係止片１０の挿入作業性が著しく向上される。
【００５２】
当該包装体１は、当該包装用段ボールシート１１を組立ててなる包装スリーブ２を有するので、上述のように薬袋３の反りを防止することができると共に、コストの増加を抑えることができる。
【００５３】
［その他の実施形態］
なお、本考案の包装用段ボールシート及び包装体は、上記態様の他、種々の変更、改良を施した態様で実施することができる。例えば上記係合構造として、必ずしも第一側板の他方向側の端縁に連接される係止片、及び上記天板と折り返し板との折り返し部に形成されるスリットを有する必要はなく、上記第一側板側にスリットが形成され、上記天板又は折り返し板に係止片が形成されてもよい。
【００５４】
上記天板は、必ずしも上記スリットを基端として他方向側に形成される切欠きを有する必要はない。当該包装用段ボールシートは、上記天板が切欠きを有しない場合でも、上記天板内面に重畳される折り返し板を有するので、組立状態における反りを防止することができる。なお、上記天板が切欠きを有する場合でも、この切欠きは必ずしも上記係止片の突出長さより長くなくてもよい。
【００５５】
上記折り返し部は、必ずしも上記スリットの両端から他方向側に伸びる一対の切込みを有する必要はない。当該包装用段ボールシートは、このような一対の切込みを有しない場合でも、例えばスリットの幅を大きくすることによって上記係止片と係合することができる。
【００５６】
また、上記折り返し部は、上記一対の切込みを基端として外側に伸びる各一対の折り曲げ容易線を有する必要はなく、例えば上記スリットの両端から外側に伸びる一対の折り曲げ容易線のみを有していてもよい。
【００５７】
当該包装用段ボールシートは、必ずしも薬袋包装用である必要はなく、例えば印刷用紙等、種々の内容物を収容するよう構成されてもよい。
【００５８】
さらに、当該包装体は、必ずしも当該包装用段ボールシートからなる包装スリーブ及び薬袋のみからなる必要はなく、例えば包装スリーブの外面を覆うシュリンクフィルム等、他の部材をさらに有していてもよい。
【産業上の利用可能性】
【００５９】
以上のように、本考案の包装用段ボールシート及び包装体は、コストの増加を抑えつつ薬袋等の反りを防止することができ、表面に印刷が施される薬袋を収容するのに適している。
【符号の説明】
【００６０】
１  包装体
２  包装スリーブ
３  薬袋
４  底板
５  第一側板
６  第二側板
７  天板
８  折り返し板
９  係合構造
９ａ  係止部
９ｂ  被係止部
１０  係止片
１１  包装用段ボールシート
１２  折り曲げ容易線
１３  スリット
１４ａ、１４ｂ  切込み
１５ａ、１５ｂ、１６ａ、１６ｂ  折り曲げ容易線
１７  切欠き
１８  側面
１９  開口
２０  案内片
【図１】
0003195616.tif 000003
【図２】
0003195616.tif 000004
【図３】
0003195616.tif 000005
【図４】
0003195616.tif 000006
【図５】
0003195616.tif 000007
【図６】
0003195616.tif 000008